(57)【要約】【課題】電池電圧が設定値以下になったら、非接触ＩＣカードの認証機能か携帯電話端末の通信機能を優先して使用するかをユーザへ伝え、ユーザは、優先すべき機能を選択し、認証機能を継続して使用することができない。【解決手段】非接触ＩＣカード機能付き携帯電話端末３０は、通信機能を行う携帯電話端末部２０と認証機能を行う非接触ＩＣカード機能部１０から構成され、非接触ＩＣカード機能部１０は、アンテナ部１１、制御部１２、レベル変換回路１３、周辺回路１４、携帯電話端末部２０は、アンテナ部２１、無線部２２、表示部２３、操作部２４、制御部２５、メモリ２６、電池２７、スピーカ２８から構成され、電池の電圧を制御部２５にて監視し、機能選択に設定した電圧Ｖ１を検出し、表示部に表示された機能制限に従い携帯電話端末部の通信機能か非接触ＩＣカード部の認証機能を選択し必要機能へ電源を供給する。【選択図】      図１
2006013603.tif 000002
【特許請求の範囲】
【請求項１】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、前記非接触ＩＣカード機能部の認証機能か前記携帯電話端末部の通信機能のどちらを優先して使用するかをユーザーに許可することを特徴とする非接触ＩＣカード機能付き携帯電話端末。
【請求項２】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、前記非接触ＩＣカード機能部の認証機能か前記携帯電話端末部の通信機能のどちらを優先して使用するかをユーザーに許可することを特徴とする非接触ＩＣカード機能付き携帯電話端末。
【請求項３】
前記非接触ＩＣカード機能部の認証機能か前記携帯電話端末部の通信機能が選択されたとき、選択された機能に電源を供給するようにしたことを特徴とする請求項１または請求項２記載の非接触ＩＣカード機能付き携帯電話端末。
【請求項４】
前記非接触ＩＣカード機能部の認証機能が選択された後、前記認証機能を使用する予定時間になった時点で前記認証機能に電源を供給するようにしたことを特徴とする請求項１から請求項３記載のいずれかの非接触ＩＣカード機能付き携帯電話端末。
【請求項５】
前記携帯電話端末部の通信機能が選択された後、前記通信機能を使用する予定時間になった時点で前記通信機能に電源を供給するようにしたことを特徴とする請求項１から請求項３記載のいずれかの非接触ＩＣカード機能付き携帯電話端末。
【請求項６】
前記非接触ＩＣカード機能部の認証機能か前記携帯電話端末部の通信機能を優先して使用するかを伝えるために警告音により通知を行うことを特徴とする請求項１から請求項５記載のいずれかの非接触ＩＣカード機能付き携帯電話端末。
【請求項７】
前記非接触ＩＣカード機能部の認証機能か前記携帯電話端末部の通信機能を優先して使用するかを伝えるために振動により通知を行うことを特徴とする請求項１から請求項５記載のいずれかの非接触ＩＣカード機能付き携帯電話端末。
【請求項８】
前記非接触ＩＣカード機能部の認証機能か前記携帯電話端末部の通信機能を優先して使用するかを伝えるために表示部への表示通知を行うことを特徴とする請求項１から請求項５記載のいずれかの非接触ＩＣカード機能付き携帯電話端末。
【請求項９】
前記非接触ＩＣカード機能部の認証機能か前記携帯電話端末部の通信機能を優先して使用するかを伝えるために警告音と表示部への表示通知を行うことを特徴とする請求項１から請求項５記載のいずれかの非接触ＩＣカード機能付き携帯電話端末。
【請求項１０】
前記非接触ＩＣカード機能部の認証機能か前記携帯電話端末部の通信機能を優先して使用するかを伝えるために振動と表示部への表示通知を行うことを特徴とする請求項１から請求項５記載のいずれかの非接触ＩＣカード機能付き携帯電話端末。
【請求項１１】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、前記非接触ＩＣカード機能部の認証機能または前記携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする非接触ＩＣカード機能付き携帯電話端末。
【請求項１２】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、前記非接触ＩＣカード機能部の認証機能または前記携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする非接触ＩＣカード機能付き携帯電話端末。
【請求項１３】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、前記非接触ＩＣカード機能部の認証機能または前記携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする非接触ＩＣカード機能付き携帯電話端末。
【請求項１４】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、前記非接触ＩＣカード機能部の認証機能または前記携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする非接触ＩＣカード機能付き携帯電話端末。
【請求項１５】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、電車料金の支払において、前記携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする非接触ＩＣカード機能付き携帯電話端末。
【請求項１６】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電車料金の支払において、前記携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする非接触ＩＣカード機能付き携帯電話端末。
【請求項１７】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、買い物の清算において、前記携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする非接触ＩＣカード機能付き携帯電話端末。
【請求項１８】
通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、買い物の清算において、前記携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする非接触ＩＣカード機能付き携帯電話端末。
【請求項１９】
非接触ＩＣカード機能付き携帯電話端末における電池残容量による機能制限方法であって、電池の電池残容量を検出し、電池電圧が予め定められた設定値以下になったことにより、非接触ＩＣカード機能部の認証機能か携帯電話端末部の通信機能を優先して使用するかをユーザーに許可することを特徴とする非接触ＩＣカード機能付き携帯電話端末の電池残容量による機能制限方法。
【請求項２０】
非接触ＩＣカード機能付き携帯電話端末における電池残容量による機能制限方法であって、非接触ＩＣカード機能部の認証機能か携帯電話端末部の通信機能を優先して使用するかをユーザーに許可することを特徴とする非接触ＩＣカード機能付き携帯電話端末の電池残容量による機能制限方法。
【請求項２１】
前記非接触ＩＣカード機能部の認証機能か前記携帯電話端末部の通信機能を優先して使用するかを選択し、選択した機能に電源を供給するようにしたことを特徴とする請求項１９または請求項２０記載の非接触ＩＣカード機能付き携帯電話端末の電池残容量による機能制限方法。
【請求項２２】
前記非接触ＩＣカード機能部の認証機能を選択し、前記認証機能を使用する予定時間を予め設定し、使用する予定時間になった時点で前記認証機能に電源を供給するようにしたことを特徴とする請求項１９から請求項２１記載のいずれかの非接触ＩＣカード機能付き携帯電話端末の電池残容量による機能制限方法。
【請求項２３】
前記携帯電話端末部の通信機能を選択し、前記通信機能を使用する予定時間を予め設定し、使用する予定時間になった時点で前記通信機能に電源を供給するようにしたことを特徴とする請求項１９から請求項２１記載の非接触ＩＣカード機能付き携帯電話端末の電池残容量による機能制限方法。
【請求項２４】
前記非接触ＩＣカード機能部の認証機能を選択し、前記認証機能を使用できる予定時間を予め設定し、使用できる予定時間になった時点まで前記認証機能に電源を供給するようにしたことを特徴とする請求項１９から請求項２１記載のいずれかの非接触ＩＣカード機能付き携帯電話端末の電池残容量による機能制限方法。
【請求項２５】
前記携帯電話端末部の通信機能を選択し、前記通信機能を使用できる予定時間を予め設定し、使用できる予定時間になった時点まで前記通信機能に電源を供給するようにしたことを特徴とする請求項１９から請求項２１記載の非接触ＩＣカード機能付き携帯電話端末の電池残容量による機能制限方法。
【請求項２６】
前記非接触ＩＣカード機能部の認証機能か前記携帯電話端末部の通信機能を優先して使用するかを伝えるために警告音により通知を行い、優先すべきそれぞれの機能を選択することを特徴とする請求項１９から請求項２５記載のいずれかの非接触ＩＣカード機能付き携帯電話端末の電池残容量による機能制限方法。
【請求項２７】
前記非接触ＩＣカード機能部の認証機能か前記携帯電話端末部の通信機能を優先して使用するかを伝えるために振動により通知を行い、優先すべきそれぞれの機能を選択することを特徴とする請求項１９から請求項２５記載のいずれかの非接触ＩＣカード機能付き携帯電話端末の電池残容量による機能制限方法。
【請求項２８】
前記非接触ＩＣカード機能部の認証機能か前記携帯電話端末部の通信機能を優先して使用するかを伝えるために表示部への表示通知を行い、優先すべきそれぞれの機能を表示部上で選択することを特徴とする請求項１９から請求項２５記載のいずれかの非接触ＩＣカード機能付き携帯電話端末の電池残容量による機能制限方法。
【請求項２９】
前記非接触ＩＣカード機能部の認証機能か前記携帯電話端末部の通信機能を優先して使用するかを伝えるために警告音と表示部への表示通知を行い、優先すべきそれぞれの機能を表示部上で選択することを特徴とする請求項１９から請求項２５記載のいずれかの非接触ＩＣカード機能付き携帯電話端末の電池残容量による機能制限方法。
【請求項３０】
前記非接触ＩＣカード機能部の認証機能か前記携帯電話端末部の通信機能を優先して使用するかを伝えるために振動と表示部への表示通知を行い、優先すべきそれぞれの機能を表示部上で選択することを特徴とする請求項１９から請求項２５記載のいずれかの非接触ＩＣカード機能付き携帯電話端末の電池残容量による機能制限方法。
【請求項３１】
非接触ＩＣカード機能付き携帯電話端末における電池残容量による機能制限方法であって、電池の電池残容量を検出し、電池電圧が予め定められた設定値以下になったことにより、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする非接触ＩＣカード機能付き携帯電話端末の電池残容量による機能制限方法。
【請求項３２】
非接触ＩＣカード機能付き携帯電話端末における電池残容量による機能制限方法であって、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする非接触ＩＣカード機能付き携帯電話端末の電池残容量による機能制限方法。
【請求項３３】
非接触ＩＣカード機能付き携帯電話端末における電池残容量による機能制限方法であって、電池の電池残容量を検出し、電池電圧が予め定められた設定値以下になったことにより、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする非接触ＩＣカード機能付き携帯電話端末の電池残容量による機能制限方法。
【請求項３４】
非接触ＩＣカード機能付き携帯電話端末における電池残容量による機能制限方法であって、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする非接触ＩＣカード機能付き携帯電話端末の電池残容量による機能制限方法。
【請求項３５】
非接触ＩＣカード機能付き携帯電話端末における電池残容量による機能制限方法であって、電池の電池残容量を検出し、電池電圧が予め定められた設定値以下になったことにより、電車料金の支払において、携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする非接触ＩＣカード機能付き携帯電話端末の電池残容量による機能制限方法。
【請求項３６】
非接触ＩＣカード機能付き携帯電話端末における電池残容量による機能制限方法であって、電車料金の支払において、携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする非接触ＩＣカード機能付き携帯電話端末の電池残容量による機能制限方法。
【請求項３７】
非接触ＩＣカード機能付き携帯電話端末における電池残容量による機能制限方法であって、電池の電池残容量を検出し、電池電圧が予め定められた設定値以下になったことにより、買い物の清算において、携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする非接触ＩＣカード機能付き携帯電話端末の電池残容量による機能制限方法。
【請求項３８】
非接触ＩＣカード機能付き携帯電話端末における電池残容量による機能制限方法であって、買い物の清算において、携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする非接触ＩＣカード機能付き携帯電話端末の電池残容量による機能制限方法。
【請求項３９】
非接触ＩＣカード機能付き携帯電話端末における電池残容量による機能制限処理において、電池の電池残容量を検出し、電池電圧が予め定められた設定値以下になったことにより、非接触ＩＣカード機能部の認証機能か携帯電話端末部の通信機能を優先して使用するかをユーザーに許可する電池残容量による機能制限処理をコンピュータに実行させるためのプログラム。
【請求項４０】
非接触ＩＣカード機能付き携帯電話端末における電池残容量による機能制限処理において、非接触ＩＣカード機能部の認証機能か携帯電話端末部の通信機能を優先して使用するかをユーザーに許可する電池残容量による機能制限処理をコンピュータに実行させるためのプログラム。
【請求項４１】
非接触ＩＣカード機能付き携帯電話端末における電池残容量による機能制限処理において、電池の電池残容量を検出し、電池電圧が予め定められた設定値以下になったことにより、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにした電池残容量による機能制限処理をコンピュータに実行させるためのプログラム。
【請求項４２】
非接触ＩＣカード機能付き携帯電話端末における電池残容量による機能制限処理において、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにした電池残容量による機能制限処理をコンピュータに実行させるためのプログラム。
【請求項４３】
非接触ＩＣカード機能付き携帯電話端末における電池残容量による機能制限処理において、電池の電池残容量を検出し、電池電圧が予め定められた設定値以下になったことにより、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにした電池残容量による機能制限処理をコンピュータに実行させるためのプログラム。
【請求項４４】
非接触ＩＣカード機能付き携帯電話端末における電池残容量による機能制限処理において、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにした電池残容量による機能制限処理をコンピュータに実行させるためのプログラム。
【発明の詳細な説明】
【技術分野】
【０００１】
本発明は非接触ＩＣカード機能付き携帯電話端末と電池残容量による機能制限方法およびプログラムに関し、特に非接触ＩＣカード機能付き携帯電話端末において、端末の電池容量が残り少なくなった場合、端末の電源がオフになっても機能制約を行い、非接触ＩＣカード機能を使えるよう電源を確保して、非接触ＩＣカードの認証機能を継続して使用させ、ユーザに対する認証機能の機能制約を回避する非接触ＩＣカード機能付き携帯電話端末と電池残容量による機能制限方法およびプログラムに関する。
【背景技術】
【０００２】
公衆電話機における通話料金の支払い、ＪＲなどの電車料金の支払い、製品のＩＤ認識用途等において偽造、変造が困難な認証手段として非接触ＩＣカードが使用されている。
【０００３】
このような社会生活上便利で何時でも必要な非接触ＩＣカードの機能を、同じく今や社会生活上必需品として携帯して持ち歩いている携帯電話端末に搭載することにより、１つの携帯品となり、いつも持ち歩くものが２個でなく１個になり便利な携帯品となる。しかし、非接触ＩＣカードと携帯電話端末を合体しようとすると、電源の消費電流が増加し、大容量の電池が要求されることになる。
【０００４】
従来の技術としても、単独の携帯電話端末自体として電源の消費電流をセーブした省電力の試みがなされている。
【０００５】
従来の技術として、特開平１０−１０７９１４号公報がある（特許文献１参照。）。
【０００６】
これは、バッテリーの残量を検出し、バッテリー電圧値が規定の電圧値以下の場合、現在の処理を一時中断するようにする。
【０００７】
また、従来技術として、特開２００１−２９８５３３号公報がある（特許文献２参照。）。
【０００８】
これは、バッテリー監視部でバッテリーが所定残量以下であることが検出されたとき、通信部を停止させるとともに、記憶部に登録された所定の情報を表示部に表示させる。
【０００９】
また、従来技術として、特開２００２−１９９０９２号公報がある（特許文献３参照。）。
【００１０】
これは、制御部が、残量検出部からバッテリの残量を受取り、その受取った残量を基準値と比較し、残量が基準値に達したとき、送受信部を介した外部との通信を禁止し、キー入力部を介して外部との通信以外の動作を行なうための指示が入力されると、その入力された指示に従って外部との通信以外の動作を実行する。
【００１１】
【特許文献１】特開平１０−１０７９１４号公報（［要約］、および段落［００３８］）
【特許文献２】特開２００１−２９８５３３号公報（［要約］、および段落［０００６］）
【特許文献３】特開２００２−１９９０９２号公報（段落［００１６］）
【発明の開示】
【発明が解決しようとする課題】
【００１２】
しかしながら、携帯電話端末に非接触ＩＣカード機能を搭載した非接触ＩＣカード機能付き携帯電話端末にした場合、次のような課題がある。
【００１３】
第１の課題は、電池からの電源供給がなくとも、非接触ＩＣカードを動作させたい場合に非接触ＩＣカードを無電源で動作させるために、受信電波から電源を取らなければならず、小型化を要求される携帯電話端末に受信電波から電源を取る電源回路を実装するのは難しい。
【００１４】
その理由は、大型のループアンテナを必要とし、さらに電波信号を整流する電力供給回路が大型になるためである。
【００１５】
第２の課題は、非接触ＩＣカードを駅などの改札入退場に活用する場合、入場または退場することに不便が生じる。
【００１６】
その理由は、電池残容量が少なくなり、電源オフとなると、入場又は退場することが出来ないため非接触ＩＣカード機能を使用するには携帯電話端末の電池を充電し、機能が再起動できるまで待つか、非接触ＩＣカード機能を使わずに現金を支払うことにより改札を通過しなければならないからである。
【００１７】
第３の課題は、非接触ＩＣカードを使って買い物の清算の際、不便が生じる。
【００１８】
その理由は、携帯電話端末の電池容量が減少し電源オフとなると支払いが行えないからである。
【００１９】
第４の課題は、非接触ＩＣカード機能を追加するため、消費電流が増加することである。
【００２０】
その理由は、携帯電話端末は従来の通信機能以外に様々な付加機能が加わり、消費電流が増加し、大容量の電池を要求されことから消費電流を増加させることができないという事情があるからである。
【００２１】
第５の課題は、特許文献１のものは、電池電圧が設定値以下になったら、非接触ＩＣカードの認証機能か携帯電話端末の通信機能を優先して使用するかをユーザへ伝える機能はなく、ユーザは、優先すべき機能を選択し、認証機能を継続して使用することができない。
【００２２】
その理由は、バッテリーの残量を検出し、バッテリー電圧値が規定の電圧値以下の場合、現在の処理を一時中断するようにするだけであるからである。
【００２３】
第６の課題は、特許文献２のものは、電池電圧が設定値以下になったら、非接触ＩＣカードの認証機能か携帯電話端末の通信機能を優先して使用するかをユーザーへ伝える機能はなく、ユーザーは、優先すべき機能を選択し、認証機能を継続して使用することができない。
【００２４】
その理由は、バッテリー監視部でバッテリーが所定残量以下であることが検出されたとき、通信部を停止させるようにするだけであるからである。
【００２５】
第７の課題は、特許文献３のものは、電池電圧が設定値以下になったら、非接触ＩＣカードの認証機能か携帯電話端末の通信機能を優先して使用するかをユーザーへ伝える機能はなく、ユーザーは、優先すべき機能を選択し、認証機能を継続して使用することができない。
【００２６】
その理由は、バッテリの残量を基準値と比較し、残量が基準値に達したとき、送受信部を介した外部との通信を禁止し、外部との通信以外の動作を実行するだけであるからである。
（発明の目的）
そこで、本発明の目的は、非接触ＩＣカード機能付き携帯電話端末の電源がオフとなることを回避するか、またはユーザの課金データを消去することなく、必要な際にのみ認証機能を動作させるようにした非接触ＩＣカード機能付き携帯電話端末と電池残容量による機能制限方法およびプログラムを提供することにある。
【課題を解決するための手段】
【００２７】
第１の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、前記非接触ＩＣカード機能部の認証機能か前記携帯電話端末部の通信機能のどちらを優先して使用するかをユーザーに許可することを特徴とする。
【００２８】
また、第２の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、前記非接触ＩＣカード機能部の認証機能か前記携帯電話端末部の通信機能のどちらを優先して使用するかをユーザーに許可することを特徴とする。
【００２９】
また、第３の発明の非接触ＩＣカード機能付き携帯電話端末は、前記非接触ＩＣカード機能部の認証機能か前記携帯電話端末部の通信機能が選択されたとき、選択された機能に電源を供給するようにしたことを特徴とする。
【００３０】
また、第４の発明の非接触ＩＣカード機能付き携帯電話端末は、前記非接触ＩＣカード機能部の認証機能が選択された後、前記認証機能を使用する予定時間になった時点で前記認証機能に電源を供給するようにしたことを特徴とする。
【００３１】
また、第５の発明の非接触ＩＣカード機能付き携帯電話端末は、前記携帯電話端末部の通信機能が選択された後、前記通信機能を使用する予定時間になった時点で前記通信機能に電源を供給するようにしたことを特徴とする。
【００３２】
また、第６の発明の非接触ＩＣカード機能付き携帯電話端末は、前記非接触ＩＣカード機能部の認証機能か前記携帯電話端末部の通信機能を優先して使用するかを伝えるために警告音により通知を行うことを特徴とする。
【００３３】
また、第７の発明の非接触ＩＣカード機能付き携帯電話端末は、前記非接触ＩＣカード機能部の認証機能か前記携帯電話端末部の通信機能を優先して使用するかを伝えるために振動により通知を行うことを特徴とする。
【００３４】
また、第８の発明の非接触ＩＣカード機能付き携帯電話端末は、前記非接触ＩＣカード機能部の認証機能か前記携帯電話端末部の通信機能を優先して使用するかを伝えるために表示部への表示通知を行うことを特徴とする。
【００３５】
また、第９の発明の非接触ＩＣカード機能付き携帯電話端末は、前記非接触ＩＣカード機能部の認証機能か前記携帯電話端末部の通信機能を優先して使用するかを伝えるために警告音と表示部への表示通知を行うことを特徴とする。
【００３６】
また、第１０の発明の非接触ＩＣカード機能付き携帯電話端末は、前記非接触ＩＣカード機能部の認証機能か前記携帯電話端末部の通信機能を優先して使用するかを伝えるために振動と表示部への表示通知を行うことを特徴とする。
【００３７】
また、第１１の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、前記非接触ＩＣカード機能部の認証機能または前記携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする。
【００３８】
また、第１２の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、前記非接触ＩＣカード機能部の認証機能または前記携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする。
【００３９】
また、第１３の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、前記非接触ＩＣカード機能部の認証機能または前記携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする。
【００４０】
また、第１４の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、前記非接触ＩＣカード機能部の認証機能または前記携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする。
【００４１】
また、第１５の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、電車料金の支払において、前記携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする。
【００４２】
また、第１６の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電車料金の支払において、前記携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする。
【００４３】
また、第１７の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、電池の電池残容量を検出し、電池電圧が予め定められた設定値以下になったことにより、買い物の清算において、前記携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする。
【００４４】
また、第１８の発明の非接触ＩＣカード機能付き携帯電話端末は、通信機能を行う携帯電話端末部と認証機能を行う非接触ＩＣカード機能部を備え、前記携帯電話端末部の通信機能と前記非接触ＩＣカード機能部の認証機能のそれぞれの機能を選択・分離して使用できる構成にし、買い物の清算において、前記携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする。
【００４５】
また、第１９の発明の非接触ＩＣカード機能付き携帯電話端末の電池残容量による機能制限方法は、非接触ＩＣカード機能付き携帯電話端末における電池残容量による機能制限方法であって、電池の電池残容量を検出し、電池電圧が予め定められた設定値以下になったことにより、非接触ＩＣカード機能部の認証機能か携帯電話端末部の通信機能を優先して使用するかをユーザーに許可することを特徴とする。
【００４６】
また、第２０の発明の非接触ＩＣカード機能付き携帯電話端末の電池残容量による機能制限方法は、非接触ＩＣカード機能付き携帯電話端末における電池残容量による機能制限方法であって、非接触ＩＣカード機能部の認証機能か携帯電話端末部の通信機能を優先して使用するかをユーザーに許可することを特徴とする。
【００４７】
また、第２１の発明の非接触ＩＣカード機能付き携帯電話端末の電池残容量による機能制限方法は、前記非接触ＩＣカード機能部の認証機能か前記携帯電話端末部の通信機能を優先して使用するかを選択し、選択した機能に電源を供給するようにしたことを特徴とする請求項１９または請求項２０記載の非接触ＩＣカード機能付き携帯電話端末の電池残容量による機能制限方法。
【００４８】
また、第２２の発明の非接触ＩＣカード機能付き携帯電話端末の電池残容量による機能制限方法は、前記非接触ＩＣカード機能部の認証機能を選択し、前記認証機能を使用する予定時間を予め設定し、使用する予定時間になった時点で前記認証機能に電源を供給するようにしたことを特徴とする。
【００４９】
また、第２３の発明の非接触ＩＣカード機能付き携帯電話端末の電池残容量による機能制限方法は、前記携帯電話端末部の通信機能を選択し、前記通信機能を使用する予定時間を予め設定し、使用する予定時間になった時点で前記通信機能に電源を供給するようにしたことを特徴とする。
【００５０】
また、第２４の発明の非接触ＩＣカード機能付き携帯電話端末の電池残容量による機能制限方法は、前記非接触ＩＣカード機能部の認証機能を選択し、前記認証機能を使用できる予定時間を予め設定し、使用できる予定時間になった時点まで前記認証機能に電源を供給するようにしたことを特徴とする。
【００５１】
また、第２５の発明の非接触ＩＣカード機能付き携帯電話端末の電池残容量による機能制限方法は、前記携帯電話端末部の通信機能を選択し、前記通信機能を使用できる予定時間を予め設定し、使用できる予定時間になった時点まで前記通信機能に電源を供給するようにしたことを特徴とする。
【００５２】
また、第２６の発明の非接触ＩＣカード機能付き携帯電話端末の電池残容量による機能制限方法は、前記非接触ＩＣカード機能部の認証機能か前記携帯電話端末部の通信機能を優先して使用するかを伝えるために警告音により通知を行い、優先すべきそれぞれの機能を選択することを特徴とする。
【００５３】
また、第２７の発明の非接触ＩＣカード機能付き携帯電話端末の電池残容量による機能制限方法は、前記非接触ＩＣカード機能部の認証機能か前記携帯電話端末部の通信機能を優先して使用するかを伝えるために振動により通知を行い、優先すべきそれぞれの機能を選択することを特徴とする。
【００５４】
また、第２８の発明の非接触ＩＣカード機能付き携帯電話端末の電池残容量による機能制限方法は、前記非接触ＩＣカード機能部の認証機能か前記携帯電話端末部の通信機能を優先して使用するかを伝えるために表示部への表示通知を行い、優先すべきそれぞれの機能を表示部上で選択することを特徴とする。
【００５５】
また、第２９の発明の非接触ＩＣカード機能付き携帯電話端末の電池残容量による機能制限方法は、前記非接触ＩＣカード機能部の認証機能か前記携帯電話端末部の通信機能を優先して使用するかを伝えるために警告音と表示部への表示通知を行い、優先すべきそれぞれの機能を表示部上で選択することを特徴とする。
【００５６】
また、第３０の発明の非接触ＩＣカード機能付き携帯電話端末の電池残容量による機能制限方法は、前記非接触ＩＣカード機能部の認証機能か前記携帯電話端末部の通信機能を優先して使用するかを伝えるために振動と表示部への表示通知を行い、優先すべきそれぞれの機能を表示部上で選択することを特徴とする。
【００５７】
また、第３１の発明の非接触ＩＣカード機能付き携帯電話端末の電池残容量による機能制限方法は、非接触ＩＣカード機能付き携帯電話端末における電池残容量による機能制限方法であって、電池の電池残容量を検出し、電池電圧が予め定められた設定値以下になったことにより、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする。
【００５８】
また、第３２の発明の非接触ＩＣカード機能付き携帯電話端末の電池残容量による機能制限方法は、非接触ＩＣカード機能付き携帯電話端末における電池残容量による機能制限方法であって、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにしたことを特徴とする。
【００５９】
また、第３３の発明の非接触ＩＣカード機能付き携帯電話端末の電池残容量による機能制限方法は、非接触ＩＣカード機能付き携帯電話端末における電池残容量による機能制限方法であって、電池の電池残容量を検出し、電池電圧が予め定められた設定値以下になったことにより、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする。
【００６０】
また、第３４の発明の非接触ＩＣカード機能付き携帯電話端末の電池残容量による機能制限方法は、非接触ＩＣカード機能付き携帯電話端末における電池残容量による機能制限方法であって、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにしたことを特徴とする。
【００６１】
また、第３５の発明の非接触ＩＣカード機能付き携帯電話端末の電池残容量による機能制限方法は、非接触ＩＣカード機能付き携帯電話端末における電池残容量による機能制限方法であって、電池の電池残容量を検出し、電池電圧が予め定められた設定値以下になったことにより、電車料金の支払において、携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする。
【００６２】
また、第３６の発明の非接触ＩＣカード機能付き携帯電話端末の電池残容量による機能制限方法は、非接触ＩＣカード機能付き携帯電話端末における電池残容量による機能制限方法であって、電車料金の支払において、携帯電話端末部を介して、携帯電話端末のデータ通信網へ接続し、指定された下車予定の駅名、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、下車する際は、非接触ＩＣカード機能付き携帯電話端末のＩＤ番号を清算機に出力し、非接触ＩＣカード機能部がＩＤ番号の出力を清算機に対して行い、ＩＤを認識させることにより改札を通過することを特徴とする。
【００６３】
また、第３７の発明の非接触ＩＣカード機能付き携帯電話端末の電池残容量による機能制限方法は、非接触ＩＣカード機能付き携帯電話端末における電池残容量による機能制限方法であって、電池の電池残容量を検出し、電池電圧が予め定められた設定値以下になったことにより、買い物の清算において、携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする。
【００６４】
また、第３８の発明の非接触ＩＣカード機能付き携帯電話端末の電池残容量による機能制限方法は、非接触ＩＣカード機能付き携帯電話端末における電池残容量による機能制限方法であって、買い物の清算において、携帯電話端末部を介して、携帯電話端末のデータ通信網へ接続し、非接触ＩＣカード機能付き携帯電話端末のＩＤ番号をデータ通信網のサーバに対し登録し、自分の口座等から前払いのための情報通信をデータ通信網上で行い、非接触ＩＣカード機能付き携帯電話端末の携帯電話端末部の電源をオフし、買い物の清算をする際は、非接触ＩＣカード機能付き携帯電話端末のＩＤ番号を清算機に出力し、非接触ＩＣカード機能部がＩＤ番号の出力を清算機に対して行い、ＩＤを認識させることにより買い物の清算をすることを特徴とする。
【００６５】
また、第３９の発明のプログラムは、非接触ＩＣカード機能付き携帯電話端末における電池残容量による機能制限処理において、電池の電池残容量を検出し、電池電圧が予め定められた設定値以下になったことにより、非接触ＩＣカード機能部の認証機能か携帯電話端末部の通信機能を優先して使用するかをユーザーに許可する電池残容量による機能制限処理をコンピュータに実行させる。
【００６６】
また、第４０の発明のプログラムは、非接触ＩＣカード機能付き携帯電話端末における電池残容量による機能制限処理において、非接触ＩＣカード機能部の認証機能か携帯電話端末部の通信機能を優先して使用するかをユーザーに許可する電池残容量による機能制限処理をコンピュータに実行させる。
【００６７】
また、第４１の発明のプログラムは、非接触ＩＣカード機能付き携帯電話端末における電池残容量による機能制限処理において、電池の電池残容量を検出し、電池電圧が予め定められた設定値以下になったことにより、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにした電池残容量による機能制限処理をコンピュータに実行させる。
【００６８】
また、第４２の発明のプログラムは、非接触ＩＣカード機能付き携帯電話端末における電池残容量による機能制限処理において、非接触ＩＣカード機能部の認証機能または携帯電話端末部の通信機能を優先して使用する予定時間を設定し、前記非接触ＩＣカード機能部の認証機能または前記携帯電話端末部の通信機能を優先して使用する予定時間になった時点で前記非接触ＩＣカード機能部の認証機能または前記携帯電話端末部の通信機能に電源を供給するようにした電池残容量による機能制限処理をコンピュータに実行させる。
【００６９】
また、第４３の発明のプログラムは、非接触ＩＣカード機能付き携帯電話端末における電池残容量による機能制限処理において、電池の電池残容量を検出し、電池電圧が予め定められた設定値以下になったことにより、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにした電池残容量による機能制限処理をコンピュータに実行させる。
【００７０】
また、第４４の発明のプログラムは、非接触ＩＣカード機能付き携帯電話端末における電池残容量による機能制限処理において、非接触ＩＣカード機能部の認証機能または携帯電話端末部の通信機能を優先して使用できる予定時間を設定し、前記非接触ＩＣカード機能部の認証機能または前記携帯電話端末部の通信機能を優先して使用できる予定時間になった時点まで前記非接触ＩＣカード機能部の認証機能または前記携帯電話端末部の通信機能に電源を供給するようにした電池残容量による機能制限処理をコンピュータに実行させる。
【発明の効果】
【００７１】
以上説明したように、本発明の非接触ＩＣカード機能付き携帯電話端末と電池残容量による機能制限方法およびプログラムは、
第１の効果は、非接触ＩＣカードの認証機能を停止することなく使用出来ることである。
【００７２】
その理由は、非接触ＩＣカード機能部は、携帯電話端末の動作状態とは独立して動作出来るようにしたため、携帯電話端末での電池電圧が設定値以下になった場合、非接触ＩＣカード機能部の制御部へのみ供給電圧が可能となり、電源の消費を抑える制御ができるからである。
【発明を実施するための最良の形態】
【００７３】
次に、本発明を実施するための最良の形態について図面を参照して詳細に説明する。
【００７４】
図１は本発明の非接触ＩＣカード機能付き携帯電話端末の実施の形態を示す構成図である。
【００７５】
図１を参照すると、非接触ＩＣカード機能付き携帯電話端末３０は、通信機能を行う携帯電話端末部２０と認証機能を行う非接触ＩＣカード機能部１０から構成される。このように携帯電話端末部２０の通信機能と非接触ＩＣカード機能部１０の認証機能のそれぞれの機能を選択・分離して使用できるようにしている。
【００７６】
非接触ＩＣカード機能部１０は、認証データを送受信するアンテナ部１１、認証情報を含めたＩＣカード動作を制御する制御部１２、携帯電話端末部２０とのデータの送受を行う際インターフェース電圧を整合させるレベル変換回路１３、および周辺回路１４から構成される。メモリ２６には、制御部２５内の図示しないコンピュータにより実行される各種プログラムを格納する。
【００７７】
携帯電話端末部２０は、送受信波を検出するアンテナ部２１、無線信号を送受信する無線部２２、非接触ＩＣカード機能付き携帯電話端末３０の文字・画像情報を表示する表示部２３、入出力操作を行うキースイッチ操作部２４、以上の動作を制御する制御部２５、情報を記憶するメモリ２６、電源を供給する電池２７、およびスピーカ２８から構成される。
【００７８】
携帯電話端末部２０の制御部２５にて電池２７の電池残容量を検出している。そして、電池電圧が設定値Ｖ１以下になったら、制御部２５は非接触ＩＣカード機能部１０の認証機能か携帯電話端末部２０の通信機能を優先して使用するかをユーザへ伝えるために警告音または振動を生起し、さらに表示部２３への表示通知を行う。これにより、ユーザは、優先すべきそれぞれの機能を表示部上で選択できる。そして、操作部２４により認証機能を選択することにより、非接触ＩＣカード機能部１０の認証機能を継続して使用することが可能になる。
【００７９】
このようにして、非接触ＩＣカード機能付き携帯電話端末３０の電池容量を監視することにより機能の制限を行っているので、ユーザデータを消失することなく、継続して非接触ＩＣカードの認証機能を利用可能にしている。
【００８０】
非接触ＩＣカードは無電源で動作させるため、受信電波から電源を取らなければならず、従来は大型のループアンテナや電波信号を整流する電力供給回路を必要となる。そのため、非接触ＩＣカード機能付き携帯電話端末３０が大きくなり端末商品小型への弊害となる。
【００８１】
また、非接触ＩＣカード機能付き携帯電話端末３０の電源がオフでも非接触ＩＣカードは動作するが、電池容量が低電圧の場合、動作は保証されていない。非接触ＩＣカード機能付き携帯電話端末３０の電源がオフ且つ電池電圧が設定値Ｖ１以下であっても非接触ＩＣカード機能を使えることが、本発明が解決する課題である。
【００８２】
そこで、制御部２５は非接触ＩＣカード機能付き携帯電話端末３０の電池電圧が設定値Ｖ１以下になったことを検出する。そして、制御部２５は使用できる機能をユーザの必要に応じて選択できるようにする。そうすることにより、使用できる機能にのみ電池２７からの電源を供給する構成にする。このような構成により、電源の無駄な消費を抑制し、非接触ＩＣカードの認証機能を利用可能にしている。
【００８３】
以上のように、非接触ＩＣカード機能付き携帯電話端末３０において、非接触ＩＣカード機能付き携帯電話端末３０の電池容量が残り少なくなった場合、非接触ＩＣカードの認証機能を利用可能にしている。効果として、非接触ＩＣカード機能付き携帯電話端末３０の電源が低下しても機能制約を行い、非接触ＩＣカード機能を使えるよう電源を確保して、非接触ＩＣカードの認証機能を継続して使用させ、ユーザに対する認証機能の機能制約を回避できる。
【００８４】
次に、本発明の第１の実施の形態の動作について図２、図３、図４、および図５を参照して説明する。
【００８５】
図２は本発明の非接触ＩＣカード機能付き携帯電話端末の実施の形態の通信機能の動作を示す状態図である。
【００８６】
図３は本発明の非接触ＩＣカード機能付き携帯電話端末の実施の形態の認証機能の動作を示す状態図である。
【００８７】
図５は本発明の非接触ＩＣカード機能付き携帯電話端末の実施の形態の動作を示す流れ図である。
【００８８】
図５は、電池電圧Ｖ１を検出してからの機能選択の流れ図を示ものであり、
図２を参照すると、本発明の非接触ＩＣカード機能付き携帯電話端末３０は、電池２７の電圧を制御部２５にて監視している。制御部２５が図４に示す電池電圧が予め機能選択を行うために設定した電圧Ｖ１を検出する（ステップＳ１）。
【００８９】
図４は本発明の非接触ＩＣカード機能付き携帯電話端末の実施の形態の電池の時間による電圧変化を示す特性図である。
【００９０】
制御部２５は電圧Ｖ１を検出したことにより非接触ＩＣカード機能付き携帯電話端末３０の電圧に関する状態情報並びに機能を選択する情報を表示部２３に表示する（ステップＳ２）。この電圧Ｖ１を検出したことにより状態情報としては制御部２５はユーザに残り電池容量が少なくなってきたことを通知するための警告音を発生させる。さらに、表示部２３に機能制限が必要になった旨の表示を行う。
【００９１】
表示部２３に表示された機能制限が必要になった旨の表示は携帯電話端末部２０の通信機能か非接触ＩＣカード部１０の認証機能を選択するかに関する表示である。
【００９２】
ユーザが表示部２３の情報をもとに非接触ＩＣカード機能付き携帯電話端末３０に関する携帯電話端末部２０の通信機能か非接触ＩＣカード部１０の認証機能を選択する（ステップＳ３）。携帯電話端末部２０の通信機能を選択した場合は、選択Ａの経路（図２の太線矢印で示す部分）を指示することにより携帯電話端末部２０の通信機能を選択する（ステップＳ３の通信機能優先）。また、非接触ＩＣカード部１０の認証機能を選択した場合は、選択Ｂの経路（図３の太線矢印で示す部分）を指示することにより非接触ＩＣカード部１０の認証機能を選択する（ステップＳ３の認証機能優先）。
【００９３】
選択Ａの場合は、非接触ＩＣカード機能部１０の動作を制限し、携帯電話端末部２０の通信機能を生かせるように選択するものである。そのため、携帯電話端末部２０のみを動作させるための携帯電話端末部２０のみに電源を供給する（ステップＳ７）。このとき非接触ＩＣカード機能部１０のアンテナ部１１、制御部１２、レベル変換回路１３、および周辺回路１４には電源の供給は行われなくなるように携帯電話端末部２０の制御部２５により制御される。しかし、携帯電話端末部２０のアンテナ部２１、無線部２２、表示部２３、操作部２４、制御部２５、メモリ２６、電池２７、およびスピーカ２８には電源の供給は行われるように携帯電話端末部２０の制御部２５により制御される。
【００９４】
つぎに、ユーザは操作部２４により携帯電話端末部２０の通信機能を使用する予定時間を入力する（ステップＳ８）。
【００９５】
制御部２５は入力された携帯電話端末部２０の通信機能を使用する予定時間まで携帯電話端末部２０の通信機能の電源を制御する（ステップＳ９）。
【００９６】
この電源の制御としては、電源の消費をより抑える意味からも、携帯電話端末部２０の通信機能を使用する予定時間までその通信機能への電源の供給を行わないでおく。そして、使用する予定時間になった時点で携帯電話端末部２０の通信機能に電源を供給するようにする構成にすることができる。すなわち、一時的に携帯電話端末部２０の通信機能を停止することができる。
【００９７】
また、予定時間まで携帯電話端末部２０の通信機能に電源を供給する構成にしてもよい。この場合、予定時間になると、携帯電話端末部２０の通信機能への電源の供給がなくなる。
【００９８】
また、選択Ｂの場合は、携帯電話端末部２０のアンテナ部２１、無線部２２、および操作部２４の動作を制限し、非接触ＩＣカード部１０の認証機能を生かせるように選択するものである。そのため、制御部２５によって非接触ＩＣカード機能部１０並びに携帯電話端末部２０の表示部２３、制御部２５、メモリ２６、電池２７、およびスピーカ２８のみを動作させるための電源供給の制御が行われる（ステップＳ４）。このとき携帯電話端末部２０のアンテナ部２１、および無線部２２には電源の供給は行われなくなるように携帯電話端末部２０の制御部２５により制御される。
【００９９】
つぎに、ユーザは非接触ＩＣカードを使用する予定時間を入力する（ステップＳ５）。
【０１００】
制御部２５は入力された非接触ＩＣカードの使用する予定時間まで非接触ＩＣカード部１０の電源を制御する（ステップＳ６）。これにより、非接触ＩＣカード部１０は有効に電源の消費を行うことができる。
【０１０１】
この電源の制御としては、電源の消費をより抑える意味からも、非接触ＩＣカードの使用する予定時間まで電源の供給を行わないでおく。そして、使用する予定時間になった時点で電源を供給するようにする構成にすることができる。すなわち、一時的に非接触ＩＣカード１０の認証機能を停止することができる。
【０１０２】
また、予定時間まで非接触ＩＣカード部１０に電源を供給する構成にしてもよい。この場合、予定時間になると、非接触ＩＣカード１０の認証機能への電源の供給がなくなる。
【０１０３】
図４において、電池２７の検出される電圧は、電池電圧が、機能選択を行うために設定した電池電圧Ｖ１に達すると、前記のように機能選択を実施する。装置の低電圧バッテリーアラームを検出するＶ２の電圧まで、選択した機能を利用することが可能となる。
【０１０４】
なお、図５のステップＳ５とＳ６、またはステップＳ８とＳ９の一方、あるいは両方がなくても良い。
【０１０５】
次に本発明の第２の実施の形態を説明する。その基本的構成は図１並びに上記のとおりであり、第１の実施の形態の構成及び動作を有する。
【０１０６】
第２の実施の形態のように電車での利用する場合、移動途中で電池２７の電池電圧が機能選択を行うために設定した電圧Ｖ１になる。その際、前述の第１の実施の形態において図５のステップＳ３からＳ４に移行する前に、本実施の形態では、携帯電話端末部２０介して、携帯電話端末のデータ通信網へ接続する。
【０１０７】
そして、制御部２５は操作部２４により指定された下車予定の駅名、非接触ＩＣカード機能付き携帯電話端末３０のＩＤ番号をデータ通信網の図示しないサーバに対し登録する。登録と共に、制御部２５は自分の口座等から前払いのための情報通信をデータ通信網上で行う。その後、非接触ＩＣカード機能付き携帯電話端末３０の携帯電話端末部２０の電源をオフしてしまう。
【０１０８】
下車する際は、非接触ＩＣカード機能付き携帯電話端末３０のＩＤ番号を清算機に出力する。この場合、非接触ＩＣカード機能部１０がＩＤ番号の出力を清算機に対して行う。または、非接触ＩＣカード機能付き携帯電話端末３０がＳＩＭ（Ｓｕｂｓｃｒｉｂｅｒ  Ｉｄｅｎｔｉｔｙ  Ｍｏｄｕｌｅ：加入者認識用モジュール）カードを搭載している場合はＳＩＭカードを読み込ませてＩＤを認識させることにより改札を通過できる。
【０１０９】
このように、本第２の実施の形態では、サービスを利用中の非接触ＩＣカード機能付き携帯電話端末３０の携帯電話端末部の通信機能が電源オフになる前に、通信機能を利用して、データ通信網で料金を前払いが可能となり、更にサービス終了時は非接触ＩＣカード機能付き携帯電話端末３０のＩＤを照合することで支払い済ませるという効果が得られている。さらに本第２の実施の形態のような電車での利用する場合の非接触ＩＣカード機能の認証機能による電車料金支払いの他に、さらに別の実施の形態として、買い物の清算の際にも、非接触ＩＣカード機能の認証機能による料金支払いか応用できる。
【０１１０】
前述した第１および第２の実施の形態では、携帯電話端末部２０の制御部２５にて電池２７の電池残容量を検出している。そして、電池電圧が設定値Ｖ１以下になったら、非接触ＩＣカード機能部１０の認証機能か携帯電話端末部２０の通信機能を優先して使用するかをユーザへ伝えるために警告音または振動を生起し、さらに表示部への表示通知を行う。これにより、ユーザは、優先すべきそれぞれの機能を表示部上で選択できる。そして、認証機能を選択することにより、非接触ＩＣカード機能部１０の認証機能を継続して使用することが可能になる。
【０１１１】
しかし、第３の実施の形態として、携帯電話端末部２０の制御部２５にて電池２７の電池残容量を検出しない構成にする。そうすることで、電池電圧が設定値Ｖ１以下にならないいつでも、非接触ＩＣカード機能部１０の認証機能か携帯電話端末部２０の通信機能を優先して使用するかを選択する。そして、非接触ＩＣカード機能部１０の認証機能か携帯電話端末部２０の通信機能を選択することにより、非接触ＩＣカード機能付き携帯電話端末３０の電源の消費を抑えることができ、非接触ＩＣカード機能部１０の認証機能を継続して使用することが可能になる。さらに、使用する機能の予定時間を設定して選択すればさらなる省電力が可能になる。
【０１１２】
以上説明したように、非接触ＩＣカード機能部１０は、非接触ＩＣカード機能付き携帯電話端末３０の動作状態とは独立して電源の制御を行い非接触ＩＣカードの機能を動作出来るようにした本発明によれば、以下の効果が得られる。
【０１１３】
第１の効果は、非接触ＩＣカード機能付き携帯電話端末３０での電池電圧設定値がＶ１以下になった場合、非接触ＩＣカード機能部１０へのみ供給電圧の制御が可能となる。その結果、電源の消費を抑える制御ができるため、非接触ＩＣカードの認証機能を停止することなく使用出来ることである。
【０１１４】
第２の効果は、電源の消費を抑える制御ができるため、非接触ＩＣカードの認証機能を停止することなく使用出来るようにしたことで、非接触ＩＣカードを利用して、改札を通過する際、お金を支払わなくて改札を通過することができることである。
【０１１５】
第３の効果は、電源の消費を抑える制御ができるため、非接触ＩＣカードの認証機能を停止することなく使用出来るようにしたことで、買い物の清算の際、非接触ＩＣカードにより支払ができることである。
【０１１６】
第４の効果は、非接触ＩＣカード機能付き携帯電話端末３０に関する携帯電話端末部２０の通信機能か非接触ＩＣカード部１０の認証機能を選択して、使用する機能部にのみ電源を供給し電源の消費を抑えことができることである。
【図面の簡単な説明】
【０１１７】
【図１】本発明の非接触ＩＣカード機能付き携帯電話端末の実施の形態を示す構成図である。
【図２】本発明の非接触ＩＣカード機能付き携帯電話端末の実施の形態の通信機能の動作を示す状態図である。
【図３】本発明の非接触ＩＣカード機能付き携帯電話端末の実施の形態の認証機能の動作を示す状態図である。
【図４】本発明の非接触ＩＣカード機能付き携帯電話端末の実施の形態の電池の時間による電圧変化を示す特性図である。
【図５】本発明の非接触ＩＣカード機能付き携帯電話端末の実施の形態の動作を示す流れ図である。
【符号の説明】
【０１１８】
１０    非接触ＩＣカード機能部
１１、２１    アンテナ部
１２、２５    制御部
１３    レベル変換回路
１４    周辺回路
２０    携帯電話端末部
２２    無線部
２３    表示部
２４    操作部
２６    メモリ
２７    電池
２８    スピーカ
３０    非接触ＩＣカード機能付き携帯電話端末
【図１】
2006013603.tif 000003
【図２】
2006013603.tif 000004
【図３】
2006013603.tif 000005
【図４】
2006013603.tif 000006
【図５】
2006013603.tif 000007